(57)【要約】【課題】　帳票の様式が簡単にかつ迅速に変えることができ、様式が変わった場合でも作成が容易なＩＳＯ認証取得または維持支援方法及びそのシステムを提供する。【解決手段】　ディスプレイに表示される帳票７０は、規格が要求する基本項目の入力欄７００と、運用先によって内容が変化する変更項目の入力欄７００を備えている。各入力欄７００は、入力欄に入力可能な複数の用語を入力欄ごとに纏めて構成してあるオブジェクト１１１と関連付けてある。入力欄７００は、入力欄を帳票から削除するか、変更するか、また新たに追加することができ、この入力欄の操作が行われたときに、オブジェクトも対応するオブジェクト１１１が削除されるか、変更されるか、また新たに追加される。入力欄７００には、オブジェクトが有する用語中から任意に選ぶことで、選択した用語が入力される。【選択図】　　　　図３
2004139590.tif 000002
【特許請求の範囲】
【請求項１】
　ＩＳＯ認証取得または維持のための帳票の作成をコンピュータで行うようにしたものであって、
　表示装置に表示される帳票に、規格が要求する基本項目の入力欄と、運用先によって内容が変化する変更項目の入力欄を備えるようにし、
　少なくとも変更事項の入力欄に、
　入力欄に入力可能な一または二以上のデータを入力欄ごとに纏めたオブジェクトと、
　入力欄を帳票から削除するか、変更するか、また新たに追加することができ、この入力欄の操作が行われたときに、オブジェクトについても対応するオブジェクトが削除されるか、変更されるか、また新たに追加されるようにする手段と,
を関連付けたことを特徴とする、
　ＩＳＯ認証取得または維持支援方法。
【請求項２】
　入力欄に関連付けられたオブジェクトが有するデータの中から任意にデータを選ぶことで、該選択したデータを上記入力欄に入力できるようにしたことを特徴とする、
　請求項１記載のＩＳＯ認証取得または維持支援方法。
【請求項３】
　共通している項目を備える複数の規格を運用する場合であって、共通している項目を有する帳票を複数の規格間にて重複してつくる必要がない、またはつくらなくても済むようにしたことを特徴とする、
　請求項１または２記載のＩＳＯ認証取得または維持支援方法。
【請求項４】
　表示装置に、役職名または担当者名が示された組織の体系図または体系表を表示するステップ、
　体系図または体系表に示された役職名または担当者名を選択することで、選択された役職者または担当者が作成すべき帳票名を上記表示装置に表示するステップ、
　表示された帳票名を選択することで、入力可能な該帳票を上記表示装置に表示するステップ、
を備えるようにしたことを特徴とする、
　請求項１，２または３記載のＩＳＯ認証取得または維持支援方法。
【請求項５】
　表示装置に、役職名または担当者名ごとに作成すべき帳票の作成の進捗状況を表示するステップ、
　役職名または担当者名を選択することで、選択された役職者または担当者が入力すべき帳票名を上記表示装置に表示するステップ、
　表示された帳票名を選択することで、入力可能な該帳票を上記表示装置に表示するステップ、
を備えるようにしたことを特徴とする、
　請求項１，２または３記載のＩＳＯ認証取得または維持支援方法。
【請求項６】
　請求項１，２，３，４または５記載のＩＳＯ認証取得または維持支援方法を実現するためのプログラムは、サーバコンピュータの記憶装置に記憶されており、該プログラムの情報はクライアントコンピュータにコンピュータネットワークを介して提供されており、帳票の作成作業はクライアントコンピュータで行い、入力されたデータはサーバコンピュータに蓄積されるようにしたことを特徴とする、
　ＩＳＯ認証取得または維持支援方法。
【請求項７】
　ＩＳＯ認証取得または維持のための支援方法は、表示装置に表示される帳票を有し、該帳票は構成要素として、規格が要求する基本項目と運用先によって内容が変化する変更項目を含むようにし、
　少なくとも変更項目はそれぞれが独立したオブジェクトとして構成されており、変更項目は、変更操作手段によって各オブジェクトごとに帳票から削除、変更または追加できるようにしたことを特徴とする、
　ＩＳＯ認証取得または維持支援方法。
【請求項８】
　ＩＳＯ認証取得または維持のための帳票の作成をコンピュータで行うシステムであって、
　表示装置に表示される帳票は、規格が要求する基本項目の入力欄と、運用先によって内容が変化する変更項目の入力欄を備えており、
　少なくとも変更事項の入力欄には、
　入力欄に入力可能な一または二以上のデータを入力欄ごとに纏めたオブジェクトと、
　入力欄を帳票から削除するか、変更するか、また新たに追加することができ、この入力欄の操作が行われたときに、オブジェクトについても対応するオブジェクトが削除されるか、変更されるか、また新たに追加されるようにする手段と,
が関連付けてあることを特徴とする、
　ＩＳＯ認証取得または維持支援システム。
【請求項９】
　入力欄に関連付けられたオブジェクトが有するデータの中から任意にデータを選ぶことで、該選択したデータを上記入力欄に入力できるよう構成してあることを特徴とする、
　請求項８記載のＩＳＯ認証取得または維持支援システム。
【請求項１０】
　共通している項目を備える複数の規格を運用する場合であって、共通している項目を有する帳票を複数の規格間にて重複してつくる必要がない、またはつくらなくても済むよう構成してあることを特徴とする、
　請求項８または９記載のＩＳＯ認証取得または維持支援システム。
【請求項１１】
　ＩＳＯ認証取得または維持のための支援システムは、表示装置に表示される帳票を有し、該帳票は構成要素として、規格が要求する基本項目と運用先によって内容が変化する変更項目を含み、
　少なくとも変更項目はそれぞれが独立したオブジェクトとして構成されており、変更項目は、変更操作手段によって各オブジェクトごとに帳票から削除、変更または追加できるよう構成してあることを特徴とする、
　ＩＳＯ認証取得または維持支援システム。
【発明の詳細な説明】
【技術分野】
【０００１】
　本発明は、国際標準化機構（ＩＳＯ：International Organization for Standardization）が発行する国際規格（ＩＳＯ９００１：品質マネジメントシステムに関する規格、ＩＳＯ１４００１：環境マネジメントシステムに関する規格、その他、今後発行されるＩＳＯマネジメントシステム等）の運用において、ＩＳＯ認証取得または維持のための帳票の作成をコンピュータで行うようにしたものに関する。
【背景技術】
【０００２】
　近年、企業間取引（特に大企業）では言うまでもなく、行政の公共工事の入札でさえ、契約にあたってはＩＳＯの認証が求められるケースが多くなってきている。
　ＩＳＯの認証は、国際規格に適合していると客観的に認められた証であり、競合他社との差別化を図る意味合いもあって、ここ数年で取得を望む企業等は増加の一途を辿っている。
【０００３】
　ＩＳＯの認証は、一度取得すれば効果が永久に続くものではなく、定期的に審査機関による審査をパスしなければ維持できない。そのためには各種の文書等が、ＩＳＯの満足するマネジメントシステム（単に「ＩＳＯマネジメントシステム」ということがある）に沿って正しく運用されている必要がある。
【０００４】
　このようなＩＳＯの認証取得または維持に関する文書は、近年、コンピュータ化が進められており、電子文書の形態で管理されることが多くなっている（例えば、特許文献１）。
【０００５】
　ＩＳＯマネジメントシステムが要求する文書は、一般的に三段階程度にランク付けされて構成されている。まず、最上位の文書として、ＩＳＯ要求事項が規定されるマニュアルが位置づけられ、次に、前記マニュアルの記載を詳細に表した規定・手順書が位置づけられ、最下位の文書として、上記した上位文書にしたがって実際の業務内容を入力する帳票が位置づけられる。帳票には、規格が要求する基本項目と、運用先によって内容が変化する変更項目が入力すべきものとしてある。
【０００６】
　上記した文書のうちマニュアルや規定・手順書は、業務の指針となるものなので、ＩＳＯの規格要求事項自体に変更が生じたり、運用企業にて業務方針等に変更がない限り、通常は改訂されない。
【０００７】
　しかし、帳票は日常の業務に最も則したものなので、入力すべき変更項目については、時間の経過と共に様式（書式）が実際の業務と合わなくなることも多かった。実際の業務と整合がとれなくなった帳票については、ＩＳＯマネジメントシステムの要求事項が満足できなくなるので、様式を変更（改訂）しなければならない。また、帳票は、内部監査やＩＳＯ審査機関等の審査によっても改善の指摘がされ易く、この場合も様式の変更が求められる。
【０００８】
　図１５を参照する。従来の帳票９０は、要求されている各項目に対してそれぞれ入力欄９００が設けてあり、この入力欄９００に入力者が文章を打ち込んで作成されるものが一般的である。帳票９０の項目や入力欄９００に入力（記録）された用語は、各帳票９０ごとに一つの纏まったデータ９１として保存される。
【０００９】
　ところでＩＳＯが発行する国際規格には、例えば、品質マネジメントシステムに関する規格（ＩＳＯ９００１）や、環境マネジメントシステムに関する規格（ＩＳＯ１４００１）等、既に複数のものが制定されている。このような規格はこの先更に増えることが予想される。
【００１０】
　各規格で定める内容は、それぞれに専門化されているので当然ながら全体から見れば異なるが、基本的なところでは共通している項目も多く、同じ様式の帳票も多く存在する。ＩＳＯ関連の文書を管理するための従来のソフトウェアは、各規格ごとにマニュアル、規定・手順書、帳票を用意し、これらを一つの纏まったデータ集として管理していたので、各規格ごとに独立したもの（プログラム（プログラムの集合体を含む））になっていた。
【００１１】
【特許文献１】特開２００２−１９７２６２号公報
【発明の開示】
【発明が解決しようとする課題】
【００１２】
　しかし、上記したような従来のソフトウェアには、次のような課題があった。
(1) 上記したように文書のうちでも帳票９０は、運用の過程において様式の変更を要求されることが多い。しかし、従来のソフトウェアは、帳票９０の項目や入力欄９００に入力された用語を各帳票９０ごとに一つの纏まったデータ９１（テーブル）にする保存形式を有していたので、例えば、項目を追加して様式を変えるためには、データ９１（テーブル）の記録構造から変えなければならず、既に作成済みの各帳票９０ごとのデータ９１（テーブル）については作り直しが必要であった（符号９２は記録構造を変えたときのデータ（テーブル）である）。従来のソフトウェアにおいて帳票９０の様式の変更は、場合によってはプログラム自体の修正を必要とするため簡単でなく、迅速な対応は困難であった。様式の変更は、運用を始めたばかりでは特に頻繁に生じ易い。
【００１３】
(2) 従来のソフトウェアは、各規格ごとに一つの纏まったデータ集（マニュアル、規定・手順書、帳票）を作成しており、各規格ごとに独立していたので、複数の規格を運用している場合では、共通している項目であっても、各規格ごとに同じ様式の帳票を作成しなければならないという無駄が生じていた。また、この同じ様式の帳票で規格ごとに異なるデータを入力してしまうこともあり、規格間で矛盾が生じることもあった。更には、保存するデータの容量も増大化していた。
【００１４】
(3) 従来の帳票９０は、入力欄９００に文章を打ち込んで作成されていたので、ある程度の文章作成能力が必要とされていた。このため帳票９０の作成は容易でなく、また、文章の入力に当たっては心理的な負担も大きかった。このため帳票９０の作成が予定通りに進まず、未入力のものが出来てしまうこともあった。
【００１５】
(4) また、帳票９０が入力欄９００に文章を打ち込んで作成されていたので、帳票９０に入力する内容について、例えば、経験を積んだ者は効果的な報告文が書けるが、入社後間もない者は不十分な報告文しか書けない等、入力者によって質を一定させることができなかった。このため、例えば、客先からクレームが発生した際に、今まで蓄積したクレーム報告書（帳票）の中から同様のクレームが記録された帳票を見つけてその対策を参考にしようとした場合においても、該当する帳票が、蓄積されていても検索できない場合があった。つまり、従来のものは、蓄積した組織の有用な情報が効果的に活用できるシステム、いわゆるナレッジマネジメントシステムとして機能できるものではなかった。
【００１６】
　帳票は、ＩＳＯマネジメントシステムの規定にしたがって業務を行ったことを証明するものであり重要度が高い。
　つまり、認証を維持し続けるためには、帳票の管理を厳密に行っていなければならない。しかし、上記したように帳票の管理には大変な労力を要していた。
【００１７】
　この結果、認証を取得した企業の中には、ＩＳＯマネジメントシステムの帳票作成が予定通り進まず、この管理自体が重荷となって、またはＩＳＯマネジメントシステムが想定した本来の目的が達成出来ないという理由で、認証の返上を行うところも出始めている。
【００１８】
（発明の目的）
　本発明の目的は、以下の通りである。
(1) 帳票の様式を簡単にかつ迅速に変えることができるようにした、ＩＳＯ認証取得または維持支援方法及びそのシステムを提供することにある。
(2) 共通している項目を備える複数の規格を運用する場合において、共通している項目が規格間にて重複してつくる必要がない、またはつくらなくても済むようにした、ＩＳＯ認証取得または維持支援方法及びそのシステムを提供することにある。
【００１９】
(3) 帳票の作成が予定通り進め易いようにした、ＩＳＯ認証取得または維持支援方法及びそのシステムを提供することにある。
(4) 帳票に入力する内容について偏りが生じ難く、また、蓄積した帳票が組織の有用な情報として効果的に活用できるシステム、いわゆるナレッジマネジメントシステムとして機能できるようにした、ＩＳＯ認証取得または維持支援方法及びそのシステムを提供することにある。
【００２０】
(5) 帳票作成の進捗状況が容易に把握できるようにして、管理の手間が軽減できるようにした、ＩＳＯ認証取得または維持支援方法及びそのシステムを提供することにある。
(6) 役職名等で作成すべき帳票を示し、入力責任の所在を明確にすることで、未作成の帳票が生じ難いようにした、ＩＳＯ認証取得または維持支援方法及びそのシステムを提供することにある。
【課題を解決するための手段】
【００２１】
　上記目的を達成するために講じた本発明の手段は次のとおりである。
第１の発明にあっては、
　ＩＳＯ認証取得または維持のための帳票の作成をコンピュータで行うようにしたものであって、
　表示装置に表示される帳票に、規格が要求する基本項目の入力欄と、運用先によって内容が変化する変更項目の入力欄を備えるようにし、
　少なくとも変更事項の入力欄に、
　入力欄に入力可能な一または二以上のデータを入力欄ごとに纏めたオブジェクトと、
　入力欄を帳票から削除するか、変更するか、また新たに追加することができ、この入力欄の操作が行われたときに、オブジェクトについても対応するオブジェクトが削除されるか、変更されるか、また新たに追加されるようにする手段と,
を関連付けたことを特徴とする、
　ＩＳＯ認証取得または維持支援方法である。
【００２２】
第２の発明にあっては、
　入力欄に関連付けられたオブジェクトが有するデータの中から任意にデータを選ぶことで、該選択したデータを上記入力欄に入力できるようにしたことを特徴とする、
　第１の発明に係るＩＳＯ認証取得または維持支援方法である。
【００２３】
第３の発明にあっては、
　共通している項目を備える複数の規格を運用する場合であって、共通している項目を有する帳票を複数の規格間にて重複してつくる必要がない、またはつくらなくても済むようにしたことを特徴とする、
　第１または第２の発明に係るＩＳＯ認証取得または維持支援方法である。
【００２４】
第４の発明にあっては、
　表示装置に、役職名または担当者名が示された組織の体系図または体系表を表示するステップ、
　体系図または体系表に示された役職名または担当者名を選択することで、選択された役職者または担当者が作成すべき帳票名を上記表示装置に表示するステップ、
　表示された帳票名を選択することで、入力可能な該帳票を上記表示装置に表示するステップ、
を備えるようにしたことを特徴とする、
　第１，第２または第３の発明に係るＩＳＯ認証取得または維持支援方法である。
【００２５】
第５の発明にあっては、
　表示装置に、役職名または担当者名ごとに作成すべき帳票の作成の進捗状況を表示するステップ、
　役職名または担当者名を選択することで、選択された役職者または担当者が入力すべき帳票名を上記表示装置に表示するステップ、
　表示された帳票名を選択することで、入力可能な該帳票を上記表示装置に表示するステップ、
を備えるようにしたことを特徴とする、
　第１，第２または第３の発明に係るＩＳＯ認証取得または維持支援方法である。
【００２６】
第６の発明にあっては、
　第１，第２，第３，第４または第５の発明に係るＩＳＯ認証取得または維持支援方法を実現するためのプログラムは、サーバコンピュータの記憶装置に記憶されており、該プログラムの情報はクライアントコンピュータにコンピュータネットワークを介して提供されており、帳票の作成作業はクライアントコンピュータで行い、入力されたデータはサーバコンピュータに蓄積されるようにしたことを特徴とする、
　ＩＳＯ認証取得または維持支援方法である。
【００２７】
第７の発明にあっては、
　ＩＳＯ認証取得または維持のための支援方法は、表示装置に表示される帳票を有し、該帳票は構成要素として、規格が要求する基本項目と運用先によって内容が変化する変更項目を含むようにし、
　少なくとも変更項目はそれぞれが独立したオブジェクトとして構成されており、変更項目は、変更操作手段によって各オブジェクトごとに帳票から削除、変更または追加できるようにしたことを特徴とする、
　ＩＳＯ認証取得または維持支援方法である。
【００２８】
第８の発明にあっては、
　ＩＳＯ認証取得または維持のための帳票の作成をコンピュータで行うシステムであって、
　表示装置に表示される帳票は、規格が要求する基本項目の入力欄と、運用先によって内容が変化する変更項目の入力欄を備えており、
　少なくとも変更事項の入力欄には、
　入力欄に入力可能な一または二以上のデータを入力欄ごとに纏めたオブジェクトと、
　入力欄を帳票から削除するか、変更するか、また新たに追加することができ、この入力欄の操作が行われたときに、オブジェクトについても対応するオブジェクトが削除されるか、変更されるか、また新たに追加されるようにする手段と,
が関連付けてあることを特徴とする、
　ＩＳＯ認証取得または維持支援システムである。
【００２９】
第９の発明にあっては、
　入力欄に関連付けられたオブジェクトが有するデータの中から任意にデータを選ぶことで、該選択したデータを上記入力欄に入力できるよう構成してあることを特徴とする、
　第８の発明に係るＩＳＯ認証取得または維持支援システムである。
【００３０】
第１０の発明にあっては、
　共通している項目を備える複数の規格を運用する場合であって、共通している項目を有する帳票を複数の規格間にて重複してつくる必要がない、またはつくらなくても済むよう構成してあることを特徴とする、
　第８または第９の発明に係るＩＳＯ認証取得または維持支援システムである。
【００３１】
第１１の発明にあっては、
　ＩＳＯ認証取得または維持のための支援システムは、表示装置に表示される帳票を有し、該帳票は構成要素として、規格が要求する基本項目と運用先によって内容が変化する変更項目を含み、
　少なくとも変更項目はそれぞれが独立したオブジェクトとして構成されており、変更項目は、変更操作手段によって各オブジェクトごとに帳票から削除、変更または追加できるよう構成してあることを特徴とする、
　ＩＳＯ認証取得または維持支援システムである。
【００３２】
　本明細書及び特許請求の範囲では、ＩＳＯ認証取得または維持するために記録する文書を「帳票」という用語を用いて示している。この「帳票」という用語は、記録するための文書全般を指し、例えば、計画書（表、図）、報告書、試験結果表、記録書、評価書（表）等が含まれる。
【００３３】
　本明細書及び特許請求の範囲で示す「オブジェクト」という用語は、入力欄に入力可能な一または二以上のデータのかたまり又は纏まり（テーブル）を表現する概念として使用している
【００３４】
　「入力欄に入力可能なデータ」としては、例えば、文字（用語）、数字、記号、イラスト（絵）等を挙げることができるが、これに限定するものではない。
【発明の効果】
【００３５】
　本発明は上記構成を備え、次の効果を有する。
（ａ）本発明によれば、少なくとも変更事項の入力欄が、一または二以上のデータを入力欄ごとに纏めて構成してあるオブジェクトと関連付けてあり、入力欄を帳票から削除、変更または追加したときに、対応するオブジェクトについても削除、変更または追加されるようにしてあるので、帳票の様式に変更の要求が生じた場合では、他の入力欄に影響を与えずに、入力欄の削除、変更または追加ができる。つまり、本発明によれば、帳票の様式が簡単に変更でき、しかもその作業も迅速にできる。
【００３６】
（ｂ）入力欄に関連付けられたオブジェクトが有するデータの中から任意にデータを選ぶことで、該選択したデータを上記入力欄に入力できるものは、予め設定されているデータを選択することで帳票への入力ができるので作成が簡単である。従って、帳票の様式が変わった場合でも、帳票の作成が予定通りに進め易い。また、入力欄へ入力するデータが予め設定されているので、例えば入社後間もなく経験の少ない者でも、経験を積んだ者と同じような効果的な報告書を書くことができ、帳票に入力する内容について偏りが生じ難い。つまり、作成した帳票は検索し易く、蓄積した組織の有用な情報が効果的に活用できるシステム、いわゆるナレッジマネジメントシステムとして機能させることができる。
【００３７】
（ｃ）共通している項目を有する帳票を複数の規格間にて重複してつくる必要がない、またはつくらなくても済むようにしたものは、例えば、ＩＳＯ９００１とＩＳＯ１４００１等、複数の規格を運用している場合でも、共通項目についてはいわば各規格で共有（共用）するようにして、同じ様式の帳票を重複してつくる必要がない、またはつくらなくて済むようにできる。従って、共通項目における入力の手間が従来のものより軽減されるし、保存するデータの容量も従来のもののより少なくなる。
【００３８】
（ｄ）表示装置に、役職名または担当者名が示された組織の体系図または体系表を表示し、表示された役職名または担当者名を選択することで、選択された役職者または担当者が作成すべき帳票名を表示するものは、役職者または担当者が作成すべき帳票が示されるので、入力責任の所在が明確にできる。これにより未入力の帳票が発生し難く、ひいては作成すべき帳票の管理の手間が軽減できる。
【００３９】
（ｅ）表示装置に、役職名または担当者名ごとに作成すべき帳票の作成の進捗状況を表示するものは、役職者または担当者ごとの帳票の作成の進捗状況が容易にわかるので、帳票作成の達成度を上げるための意欲が高まることが期待できる。従って、この場合も未入力の作成すべき帳票が発生し難く、ひいては作成すべき帳票の管理の手間が軽減できる。
【発明を実施するための最良の形態】
【００４０】
　本発明に係るＩＳＯ認証取得または維持支援方法の実施の形態を図面に基づき更に詳細に説明する。
　図１は本発明に係るＩＳＯ認証取得または維持支援方法を実施するためのシステムの構成例を示す説明図、
　図２はサーバコンピュータの内部構成を示す概念図である。
　ＩＳＯ認証取得または維持支援方法は、ＩＳＯ認証取得または維持支援システムにより実施される。本システムは、ＩＳＯ９００１（品質マネジメントシステムに関する規格）とＩＳＯ１４００１（環境マネジメントシステムに関する規格）等、複数の規格が、一つのシステムで運用できるものである。
【００４１】
　ＩＳＯ認証取得または維持支援システムは、サーバコンピュータ１と、システム管理者用の管理者コンピュータ２と、支援者（コンサルタント、監査者等）用の支援者コンピュータ３と、利用者用のユーザーコンピュータ４・・・を備えている。
【００４２】
　サーバコンピュータ１、管理者コンピュータ２，支援者コンピュータ３、ユーザーコンピュータ４は、それぞれコンピュータネットワーク５（本実施の形態ではインターネット）に接続されている。サーバコンピュータ１、管理者コンピュータ２，支援者コンピュータ３、ユーザーコンピュータ４は、それぞれ表示装置であるディスプレイを備えている。
【００４３】
　なお、サーバコンピュータ１、管理者コンピュータ２，支援者コンピュータ３、ユーザーコンピュータ４を構成するハードウェアは、公知技術のもの（汎用のコンピュータを使うこともできるし、専用のコンピュータを使うこともできる）を使用したので詳細な説明は省略した。
【００４４】
　サーバコンピュータ１の内部構成について説明する。
　サーバコンピュータ１は記憶装置（例えば、ハードディスク）を備えている。記憶装置は、プログラム格納部１０、データ格納部１１、固有情報格納部１２を有している（図２参照）。
【００４５】
　プログラム格納部１０には、コンピュータネットワーク５に接続された各種コンピュータ（管理者コンピュータ２，支援者コンピュータ３，ユーザーコンピュータ４）に対して、ＩＳＯ認証取得または維持に関する各種電子文書（詳しくは、電子ファイル）をディスプレイに表示したり、各種コンピュータから入力されたデータをデータ格納部１１に蓄積したり、データ格納部１１で検索された検索結果をリクエストを要求するコンピュータのディスプレイに表示したりして、ＩＳＯの認証取得または維持を支援する情報を提供するためのプログラム（プログラムの集合体を含む）、その他一般的なプログラム（電子メールプログラム等）が記憶されている。本実施の形態でＩＳＯ認証取得または維持支援プログラムは、ＩＳＯ９００１とＩＳＯ１４００１という二つの規格を運用するものが記憶されている。
【００４６】
　データ格納部１１には、帳票が備える各入力欄に入力可能な用語のデータベース１１０が構築されており、更に、これを管理するためのデータベース管理システム１１２(ＤＢＭＳ：DataBase Management System )も設けられている。また、このデータ格納部１１には、入力欄に用語が入力された入力済みの帳票も蓄積される。この蓄積された帳票は、必要に応じて各種コンピュータから検索可能である。
　なお、入力欄を帳票から削除するか、変更するか、また新たに追加することができ、この入力欄の操作が行われたときに、オブジェクトについても対応するオブジェクトが削除されるか、変更されるか、また新たに追加されるようにする手段または変更操作手段は、プログラム格納部１０やデータ格納部１１に記憶されるプログラム（プログラムの集合体を含む）によって構成される。
【００４７】
　固有情報格納部１２には、サーバコンピュータ１への接続が認められている者の固有の情報（具体的には、支援者や利用者の名称、住所、電話番号、認証のための識別番号(ＩＤ：identity)とパスワード等）や、利用者毎に作成されているＩＳＯマネジメントシステムを構成する文書（マニュアル、規定・手順書、未入力の帳票）等の電子ファイルが記憶されている。
【００４８】
　図３はマニュアルと規定・手順書と未入力の帳票を表示させた基本画面の一例を示す説明図、
　図４は未入力の帳票の一例を示す説明図、
　図５は図４に示す帳票の一入力欄に設定してある用語を並べて表示させた状態を示す説明図、
　図６は図４に示す帳票の用語登録ボタンを押して表示させた用語登録画面を示す説明図、
　図７は帳票とデータベースの関係を示す概念説明図、
　図８はデータベースを構成する各オブジェクトの構造を示す概念説明図、
　図９は異なる規格間において、共通する項目及びそれ以外の項目を説明するための概念説明図、
　図１０は組織体系画面の一例を示す説明図、
　図１１は役職名ごとに作成しなければならない帳票の一覧表示画面の一例を示す説明図、
　図１２は役職名ごとに帳票の進捗状況が把握できる進捗状況一覧画面の一例を示す説明図、
　図１３は支援者が監査を行う際の初期画面の一例を示す説明図、
　図１４は支援者による監査画面の一例を示す説明図である。
【００４９】
　図３ないし図１４を参照しながら、固有情報格納部１２に記憶されている各ファイルの機能について説明する。
　固有情報格納部１２には、目次ファイル、マニュアルファイル、規定・手順書ファイル、未入力の帳票（様式）ファイル、入力例が書き込んである帳票ファイル、組織体系表ファイル、進捗状況一覧ファイル、役職名ごとの帳票作成一覧ファイル、監査ファイル等が記憶されている。詳しくは、これらのファイルは、ＩＳＯ９００１用のものと、ＩＳＯ１４００１用のものと、ＩＳＯ９００１とＩＳＯ１４００１の共通のものとの三種類にそれぞれ分けて用意している（図９参照）。
【００５０】
　これらのファイルは、サーバコンピュータ１に接続してきた各種コンピュータのディスプレイに表示可能な形式でつくられている（例えば、各種コンピュータのＷｅｂブラウザ上に表示可能なＨＴＭＬ(Hyper Text Markup Language)やＸＭＬ(eXtensible Markup Language)形式（スクリプト言語等が記述されたものを含む）で記述されている）。なお、上記各マニュアルファイル、各規定・手順書ファイル、各未入力の帳票ファイルは、ＩＳＯ９００１とＩＳＯ１４００１のＩＳＯマネジメントシステムを構成する文書ファイルである。
【００５１】
　各目次ファイルは、ユーザーコンピュータ４や支援者コンピュータ３のディスプレイに、ＩＳＯマネジメントシステムを構成する文書ファイルの目次や、他の画面に切り替える項目名を表示するものである。目次ファイルの内容は、図３で示す基本画面６０の左側（領域６２）に、目次６２０や項目名６２１などとして表示される。
【００５２】
　表示された目次６２０は、各見出しを選択することにより、対応するマニュアル、規定・手順書、帳票が表示できるようマニュアルファイルや規定・手順書ファイル等にリンクが張られている。具体的に言えば、例えば、ＩＳＯ９００１の目次ファイルを表示した場合では、目次６２０の見出しを選択することにより、ＩＳＯ９００１に対応するマニュアル、規定・手順書、帳票が表示できるよう、ＩＳＯ９００１用のマニュアルファイルや規定・手順書ファイル等にリンクが張られている。
【００５３】
　また、各項目名６２１にもそれぞれリンクが張られており、具体的には、項目名「トレーニング」には、入力例が書き込んである帳票ファイルへのリンクが、項目名「組織体系管理」には、組織体系表ファイルへのリンクが、項目名「進捗管理」には、進捗状況一覧ファイルへのリンクが、項目名「監査」には、監査ファイルへのリンクが張られている。
【００５４】
　各マニュアルファイルと各規定・手順書ファイルは、ユーザーコンピュータ４や支援者コンピュータ３のディスプレイにマニュアルと規定・手順書を表示するものである。マニュアルファイルの内容は、図３で示す基本画面６０の中央上段（領域６３）に表示され、各規定・手順書ファイルの内容は、図３で示す基本画面６０の中央下段（領域６４）に表示される。
【００５５】
　各未入力の帳票ファイルは、ユーザーコンピュータ４のディスプレイに帳票７０を表示するものである。未入力の帳票ファイルの内容は、図３で示す基本画面６０の右側（領域６５）に表示される。帳票ファイルは、マニュアルや規定・手順書に対応させて複数用意されている。
【００５６】
　未入力の帳票ファイルにより表示される帳票７０（図４参照）は、利用者が文章を打ち込んで入力欄を埋める様式ではなく、入力欄（空欄部）７００が適宜設けてあり、この各入力欄７００には予め用語（データ）が複数設定してあり、この設定してある用語の中から選択する（いわゆる選択式）だけで入力が完了する様式にしてある。また、入力欄７００には、規格が要求する基本項目の入力欄と、運用先によって内容が変化する変更項目の入力欄という種類がある。
【００５７】
　図４において入力欄７００の右端には、入力欄７００に予め設定してある用語を並べて表示するボタン７０１（本実施の形態では具体的に、プルダウンメニューを表示させるボタン）が設けてあり、ボタン７０１を押すことで用語が表示され（具体的には図５に示すプルダウンメニューが表示され）、この表示された用語の中から適当なものを選択することで入力欄７００にこの用語が入力される。
【００５８】
　ボタン７０１を押すことで表示される（プルダウンメニューに表示される）用語は、入力欄７００の右側に設けてあるボタン７０２を押して用語登録画面７１（具体的には図６に示す画面）を表示させることで、利用者側で適宜、追加や削除、変更できる。
【００５９】
　帳票７０の下側には、表示されている帳票がＩＳＯ９００１に属するものか、ＩＳＯ１４０１に属するものか、ＩＳＯ９００１とＩＳＯ１４００１の共通のものかを示す表示部７０５が設けてある。図４では共通の帳票が表示されている。また、表示部７０５の右側には、入力した用語のデータを送信するための送信ボタン７０３が設けてある。
【００６０】
　入力欄７００に入力可能な用語は、データ格納部１１に構築されたデータベース１１０に登録してあるものである。
　図７及び図８を参照する。ここでデータベース１１０の構造について簡単に説明する。
　データベース１１０は、帳票７０の入力欄７００に入力可能な用語を、各入力欄７００ごとに纏めてこれを一つの独立したオブジェクト１１１として生成させてあり、このオブジェクト１１１を多数備えて構築してある。オブジェクト１１１は、データベース１１０において、ＩＳＯ９００１用のものや、ＩＳＯ１４００１用のものや、共通のものが入り交じっている。
【００６１】
　各帳票７０に対応するオブジェクト１１１は、データベース管理システム１１２により、複数個が纏められて集合化されたような状態になっている（各帳票７０ごとにオブジェクトの集合体が設けられたような状態になっている）。各オブジェクト１１１と対応する帳票７０の各入力欄７００との間にはリンクが張られている。
【００６２】
　各オブジェクト１１１は、対応する入力欄７００に入力可能な用語を複数備えた構造を有している。具体的に言えば、例えば、図８に示すオブジェクト１１１は、帳票７０中の「用語１」の入力欄７００に対応するものであり、「納期遅れ」、「品物間違い」、「寸法間違い」、「数量間違い」、「色間違い」等の用語を備えている。オブジェクト１１１への用語の追加や削除は、ボタン７０２を押して表示される用語登録画面７１によってできる。
【００６３】
　なお、入力欄７００に設定された用語を表示させる方法は、特に限定するものではなく、複数の用語が表示でき、その中から用語が選択できるようにしてあれば、例えば、プルアップメニューを用いることもできるし、用語を並べた新規画面を表示させる（例えば、ポップアップメニュー）こともできる。
【００６４】
　本実施の形態でマニュアルファイルの内容、規定・手順書ファイルの内容、未入力の帳票ファイルの内容（様式）の変更（改訂）は、利用者またはシステム管理者によって行うことができるよう設定したが、これは限定するものではなく、例えば、支援者側で変更（改訂）できるようにすることもできる。
【００６５】
　各入力例が書き込んである帳票ファイルは、例えば、入社後間もない経験の少ない者がＩＳＯマネジメントシステムを学習したりするためのものである。このファイルで表示される帳票（図は省略したが、様式は図４に示す帳票７０と略同じようなもの）には、未入力の帳票ファイルで空欄であった入力欄に、既に用語が入力されている。
【００６６】
　組織体系表ファイルは、利用者の組織体系に沿ってつくられた組織体系画面７２を表示するものである（図１０参照）。
【００６７】
　本実施の形態で組織体系はピラミッド状につくられており、表示された各役職名には、役職名ごとの帳票作成一覧ファイルへのリンクが張られている。従って、リンクの張られた各役職名を選択することで対応するファイルが表示される。
【００６８】
　役職名ごとの帳票作成一覧ファイルは、この役職者が作成しなければならない帳票の一覧表示画面７３を表示するものである（図１１参照）。一覧表内には帳票名が列記されている。更にこの表内の各帳票名のうち、未だ入力がされていない帳票にあっては、対応する帳票ファイルへのリンクが張られている（入力済みの帳票名にはリンクが張られていない）。従って、リンクの張られた帳票名を選択することで、その帳票ファイルの帳票７０が表示される。
【００６９】
　進捗状況一覧ファイルは、進捗状況一覧画面７４を表示させて、役職者ごとに帳票作成の進捗状況が把握できるようにするものである（図１２参照）。このファイルでは、帳票作成の進捗状況が視覚的にわかるようにグラフ等（具体的には棒グラフ）で表示される。また、図１２において右端側には、各役職名に対応させてボタン７４０が設けられており、このボタン７４０を押すことで、その役職者が作成しなければならない帳票の一覧表示ファイルが表示される。
【００７０】
　監査ファイルは、利用者においてＩＳＯマネジメントシステムが正しく運用されているかを支援者が監査する際に使用するものである（図１３参照）。監査ファイルによって表示される監査初期画面８０には、監査日入力欄、被監査部署名入力欄８００、監査者入力欄８０１が設けられている。また、その下側には複数（本実施の形態では９個）のボタン８０２が設けられている。各ボタン８０２にはそれぞれ内容の異なる監査のためのチェックリストが登録されている。
【００７１】
　ボタン８０２を押すことによって図１４に示すような監査画面８１に切り替わる。監査画面８１は、チェックリストを表示するチェックリスト欄８１０や、支援者（監査者）が監査時に気づいたことや是正事項を入力する報告書欄８１１を備えている。更に報告書欄８１１の下側には、メール送信ボタン８１２が設けてある。
【００７２】
　なお、本実施の形態ではサーバコンピュータ１が備える機能の理解を容易にするために、内部構成として、プログラム格納部１０と、データ格納部１１と、固有情報格納部１２という名称を挙げて、サーバコンピュータ１の機能を分けて説明した。しかし、前記各格納部は、便宜的に示す概念であり、記憶装置を複数台備えていない限りは、実際の記憶装置において物理的に区切られているわけではない。
【００７３】
（作　用）
　図１ないし図１４を参照して、本実施の形態で示すＩＳＯ認証取得または維持支援システムの使い方を説明する。
　まず、システム運用前の初期設定として、サーバコンピュータ１の固有情報格納部１２に利用者固有の目次ファイル、マニュアルファイル、規定・手順書ファイル、未入力の帳票ファイル、入力例が書き込んである帳票ファイル、組織体系表ファイル、進捗状況一覧ファイル、役職名ごとの帳票作成一覧ファイル、監査ファイルを設定する。本実施の形態では、ＩＳＯ９００１とＩＳＯ１４００１の二つの規格が運用できるシステムなので、ＩＳＯ９００１用のものと、ＩＳＯ１４００１用のものと、ＩＳＯ９００１とＩＳＯ１４００１の共通のもののそれぞれ三種類について設定する。これらのファイルの設定は、通常、システム管理者によって行われるが、利用者側で行っても良い。また、データ格納部１１にデータベース１１０を構築する（データベース１１０は内容が変化するので最終的にはシステムを運用しながら構築される）。
【００７４】
　利用者は、コンピュータネットワーク５を介してユーザーコンピュータ４とサーバコンピュータ１を接続する。サーバコンピュータ１へ接続するユーザーコンピュータ４には、サーバコンピュータ１より識別番号とパスワードの入力が求められる（図示省略）。ユーザーの認証は、予め固有情報格納部１２に登録された固有の情報との照合によって行われる。認証が認められたユーザーコンピュータ４のみ接続が許可される。
【００７５】
　接続が許可されたユーザーコンピュータ４のディスプレイには、図３に示す基本画面６０が表示される。
　基本画面６０は、複数の領域（フレーム、具体的には４つ）を備えている。画面中、上部の領域６１には本システムのタイトルが表示される。また、左側の領域６２には目次ファイルの内容が表示され、中央上段の領域６３にはマニュアルファイルの内容が表示され、中央下段の領域６４には規定・手順書ファイルの内容が表示され、右側の領域６５には帳票ファイルの内容が表示される。
　領域６３，６４，６５には、目次６２０の各見出しを適宜選択することで、その見出しに対応した規格または共通のマニュアル、規定・手順書、帳票が表示される。
　なお、領域６２には、目次６２０の見出し以外の他の画面に切り替える項目名６２１が表示されている。これについては後に記載する。
【００７６】
　利用者は、図３に示す基本画面６０を表示させ、目次６２０の見出しを選択して、対応する規格または共通のマニュアル、規定・手順書、帳票を表示させる。
　そして、マニュアルや規定・手順書を参照しながら、業務に基づき帳票７０の入力欄７００に用語を入力する。本実施の形態では、各規格共通の帳票７０を図示している。
【００７７】
　帳票７０は、入力欄７００が適宜設けてあり、この入力欄７００に予め複数の用語が設定してある様式を有しているので、ボタン７０１を押して用語を表示させ、この用語の中から適当なものを選択するだけで入力が完成する。
【００７８】
　このように入力欄７００に用語が入力されるときにおける、帳票７０とデータベース１１０の関係を説明する。
　帳票７０の入力欄７００と、データベース１１０の対応するオブジェクト１１１とは、リンクが張られた状態になっているので、入力欄７００に入力される用語は、オブジェクト１１１が備えている用語となる。
【００７９】
　図４，図５，図７、図８を参照する。具体的に図４に示す帳票７０は、「用語１」から「用語７」までの名称が付いた７つの入力欄７００・・・を備えている。この入力欄７００・・・のそれぞれには、データベース１１０の対応するオブジェクト１１１・・・とリンクが張られている。従って、例えば「用語１」の入力欄７００に図８に示すオブジェクトへのリンクが張ってあれば、図８に示すオブジェクトの内容が図５に示すように表示され、選択した用語が「用語１」の入力欄７００に入力される。
【００８０】
　帳票は日常の業務に最も則したものであり、入力すべき変更項目については、入力欄を追加したり、削除したり、変更したりして様式の変更が求められることは上記した通りである。
　帳票７０は、入力欄に入力される用語が、データベース１１０にオブジェクト１１１として、各入力欄７００に対応するものごとに独立して設けられる構造を有しているので、入力欄７００を追加するだけで対応するオブジェクトが追加できる。つまり他の入力欄７００に影響を与えずに新たに変更項目の入力欄７００が追加できる。また、削除や変更についても同様に他の入力欄７００に影響を与えずにできる。具体的に言えば、例えば、図４に示す帳票７０に「用語８」の入力欄７００を追加すると、対応するオブジェクト１１１もデータベース１１０に新規に追加される。また、追加した「用語８」の入力欄７００を削除すると、対応するオブジェクト１１１もデータベース１１０から削除される。
　このように帳票７０は、様式の変更が簡単であり、しかもその作業も迅速にできる。
【００８１】
　また、入力欄７００に用語を入力する際に、入力欄７００に登録したもの以外の用語を入れたい場合では、利用者側で用語を新規に追加登録できる。この場合は、ボタン７０２を押して図６に示す用語登録画面７１を表示させ、新規用語入力欄７１０に用語を入力して登録ボタン７１１を押して行う。登録ボタン７１１を押すことにより、用語を追加する入力欄７００に対応するオブジェクト１１１に、新規用語入力欄７１０に入力した用語が追加される。逆に用語を削除する場合では、一覧表示されている登録済用語に対応させてある削除ボタン７１２を押して行う。削除ボタン７１２を押すことにより、用語を削除する入力欄７００に対応するオブジェクト１１１からその用語が削除される。
【００８２】
　帳票７０の入力欄７００を埋めたら送信ボタン７０３を押す。送信ボタン７０３を押すことで完成した帳票７０のデータは、サーバコンピュータ１のデータ格納部１１や、予め利用者側で承認者が決めてあれば承認者に送られる。
【００８３】
　データ格納部１１に送られたデータは、データベース管理システム１１２による管理状態におかれて蓄積される。また、承認者に送られたデータは、承認者によって承認印が付されて同様にデータ格納部１１に蓄積される。このようにして作成済みの帳票が記録として残される。
【００８４】
　未入力の帳票ファイルであったファイルは、データ格納部１１にデータが送られることで入力不可のファイルに変わり、利用者の側では書き換えられないようになる。なお、帳票７０は入力不可のファイルに変わっても閲覧は可能である。
　クリアボタン７０４は、送信ボタン７０３を押す前であれば、入力欄７００に入れた用語を全て空欄に戻すものである。
【００８５】
　帳票７０は、予め設定されている用語を入力欄７００に入れて完成させる様式であるので入力が簡単である。これにより帳票７０の入力に手間がかかることが原因で、帳票７０の作成が予定通り進まなくなることが防止できる。
【００８６】
　また、入力欄７００に用語が設定されているので、登録用語の追加や削除が頻繁にない限り、帳票７０は用語の組み合わせによってつくられている。そのため帳票は、入力に際し漏れも生じず、入力する入力者によって内容が変わることもない。更には、経験を積んだ者や入社後間もない者でも、質が均一な状態でつくられる。
　従って、例えば、客先からクレームが発生した際に、今まで蓄積したクレーム報告書（帳票）の中から同様のクレームが記録された帳票を見つけてその対策を参考にしようとした場合では、該当する帳票があれば高い確率で検索されることが期待できる。
　つまり、蓄積した組織の有用な情報が効果的に活用できるシステム、いわゆるナレッジマネジメントシステムとして機能させることができる。
【００８７】
　ＩＳＯ認証取得または維持支援システムは、異なる規格でも共通している項目があれば、その共通項目を纏めたファイルを作り、更にこれとは別に、共通項目以外のファイルを作るというファイル構造を有するので、例えば、ＩＳＯ９００１とＩＳＯ１４００１等、複数の規格を運用している場合でも、共通項目についてはいわば各規格で共有（共用）するようにして、同じ様式の帳票が重複してつくる必要がない、またはつくらなくても済むようにできる。つまり、このシステムによれば共通項目における入力の手間が従来のものより軽減されるし、これにより保存するデータの容量も従来のもののより少なくなる。
【００８８】
　また、ＩＳＯ認証取得または維持支援システムは、共通項目を纏めたファイルと、共通項目以外の別のファイルを作るというファイル構造を有するので、将来、新たな国際規格を導入しようとした場合でも、その規格における共通項目以外のファイルだけを追加すれば良い。即ち、本システムは拡張性に優れている。
【００８９】
　次に、図３において領域６２に表示された目次６２０の見出し以外の各項目名６２１を選択した場合について説明する。
　本実施の形態では「トレーニング」、「組織体系管理」、「進捗管理」、「監査」という項目名を挙げている。
【００９０】
　「トレーニング」という項目名には、入力例が書き込んである帳票ファイルへのリンクが張られており、選択することで画面が切り替わって上記帳票ファイルの内容（学習用のマニュアル、規定・手順書、帳票）が、領域６３，６４，６５に表示される（図示省略）。
　「トレーニング」によって表示されるものは、入社後間もない者等がＩＳＯマネジメントシステムを学習したりするためのものであるので、例えば、帳票の入力欄の用語を適当に変更して送信ボタンを押した場合でも、データはサーバコンピュータ１に送られない。
【００９１】
　「組織体系管理」という項目名には、組織体系表ファイルへのリンクが張られており、選択することで画面が切り替わって上記組織体系表ファイルの内容（役職名がピラミッド状に並べられた利用者の組織体系画面７２）が表示される（図１０参照）。
　組織体系画面７２を構成する各役職名には、更に、役職名ごとの帳票作成一覧ファイルへのリンクが張られている。従って、役職名を選択することで、対応する役職名ごとの帳票作成一覧ファイルの内容が表示される。例えば、図１０の「総務課長」の役職名を選択した場合では、図１１に示す、総務課長が作成しなければならない帳票の一覧表示画面７３が表示される。
【００９２】
　役職名ごとに作成しなければならない帳票の一覧表示画面７３には、この役職者がいつまでにどのような帳票を作成しなければならないかが帳票名を挙げて示されている。また、帳票名のうち、未だ入力されていない帳票には、対応する未入力の帳票ファイルへのリンクが張られている（入力済みの帳票は、帳票ファイルへのリンクが解除される）。リンクの張られた帳票名を選択することで、その帳票ファイルが表示される。
【００９３】
　従って、帳票を入力する者等は、組織体系画面７２の役職名を選択して、役職名ごとの帳票の一覧表示画面７３を表示することで、容易に未入力の帳票がないかわかる。
　また、役職名に帳票名を関連づけることにより、帳票の担当者が示されるので帳票の入力責任の所在が明確にできる。これにより未入力の帳票が発生し難く、ひいては帳票の管理の手間が軽減できる。
【００９４】
　「進捗管理」という項目名には、進捗状況一覧ファイルへのリンクが張られており、選択することで画面が切り替わって上記進捗状況一覧ファイルの内容（役職名ごとの帳票の作成の進捗状況が視覚的にわかるようにした、達成度を棒グラフで示す進捗状況一覧画面７４）が表示される（図１２参照）。
【００９５】
　進捗状況一覧画面７４を構成する各役職名と対応して設けられたボタン７４０には、役職名ごとの帳票作成一覧ファイルへのリンクが張られている。従って、ボタン７４０を押すことで、上記した「組織体系管理」の場合と同様に、対応する役職名ごとの帳票作成一覧ファイルの内容が表示される。例えば、図１２の「総務課長」の役職名を選択した場合では、図１１に示す、総務課長が作成しなければならない帳票の一覧表示画面７３が表示される。
【００９６】
　これにより役職名ごとの帳票作成の進捗状況が容易にわかるので、帳票作成の達成度を上げるための意欲が高まることが期待できる。従って、この場合も未入力の帳票が発生し難く、ひいては帳票の管理の手間が軽減できる。
【００９７】
　「監査」という項目は、一般的に利用者は使用せず、システムが正しく運用されているかどうかを支援者が監査する際に使用される。
　監査を行う場合、支援者は、コンピュータネットワーク５を介して支援者コンピュータ３とサーバコンピュータ１を接続する。サーバコンピュータ１へ接続する支援者コンピュータ３には、ユーザーコンピュータ４の場合と同様に、サーバコンピュータ１より識別番号とパスワードの入力が求められる（図示省略）。
【００９８】
　接続が許可された支援者コンピュータ３のディスプレイには、図３に示す基本画面６０が表示される。そして支援者は、領域６２に表示された項目名の「監査」を選択する。これにより更にサーバコンピュータ１より識別番号とパスワードの入力が求められる（図示省略）。
　認証されることで支援者コンピュータ３のディプレイには、基本画面６０から切り替わって監査ファイルの内容（監査初期画面８０）が表示される（図１３参照）。
【００９９】
　支援者（監査者）は、監査初期画面８０の監査日入力欄に監査日を、被監査部署名入力欄８００に被監査部署を、監査者入力欄８０１に自らの氏名または番号を入力する。そして、監査を行う項目によって、その項目のチェックリストを有するボタン８０２を押す。
【０１００】
　ボタン８０２には、作業を行う画面を表示するファイルへのリンクが張られているので、押すことにより図１４で示す監査画面８１に切り替わる。支援者（監査者）は、チェックリスト欄３１０に表示されたチェックリストを見ながら、データ格納部１１に蓄積された入力済みの帳票等を検索や閲覧して、システムの運用が正しく行われているか監査し、気づいたことや是正事項を報告書欄８１１に入力する。
【０１０１】
　報告書欄８１１に入力した事項は、支援者がメール送信ボタン８１２を押すことにより、電子メールで利用者に送られる。
　こうして支援者の指示もしくは助言が利用者に伝えられ、システムの運用に誤りがあれば是正される。
【０１０２】
　なお、図１においてサーバコンピュータ１と、システム管理者用の管理者コンピュータ２と、支援者用の支援者コンピュータ３は、それぞれ一台ずつしか示していないが、接続するコンピュータの台数は限定されるものではない。例えば、サーバコンピュータはミラーサーバコンピュータ等を設けて複数台接続することもできるし、管理者コンピュータや支援者コンピュータも必要な台数接続できる。
【０１０３】
　また、図１において利用者用のユーザーコンピュータは、複数台（具体的には４台）備えられており、ＬＡＮ(Local Area Network)を構成した状態を示しているが、ユーザーコンピュータの台数や接続形態は限定されるものではない。
【０１０４】
　本実施の形態でコンピュータネットワーク５としては、開放されたネットワークであるインターネットを一例として示したが、これは限定するものではなく、例えば、商用ネットワークや、閉鎖されたネットワークであるイントラネットやエクストラネット、専用線を使用することもできる。また、コンピュータネットワークとしては、社内ネットワーク等の私設ネットワークを使用することもでき、この場合ではクライアントサーバコンピュータシステムとして稼働させることもできる。
【０１０５】
　サーバコンピュータ１が備える記憶装置としては、特に限定するものではないが、例えば、磁気記憶装置、光磁気記憶装置、光記憶装置、半導体メモリ等が使用可能である。
【０１０６】
　本実施の形態で示す支援システムは、利用者がユーザーコンピュータをコンピュータネットワークを介してサーバコンピュータに接続して、サーバコンピュータに記憶したプログラム等を使用する、いわゆるＡＳＰ(Application Service Provider )の形態を有するものを示したが、これは限定するものではない。例えば、利用者側のコンピュータの記憶装置に、サーバコンピュータ１に記憶していたプログラム等を構築すれば、コンピュータネットワークを介在させずに（いわゆるスタンドアローンの状態で）使用することもできる。
【０１０７】
　本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【０１０８】
【図１】本発明に係るＩＳＯ認証取得または維持支援方法を実施するためのＩＳＯ認証取得または維持支援システムの構成例を示す説明図。
【図２】サーバコンピュータの内部構成を示す概念図。
【図３】マニュアルと規定・手順書と未入力の帳票を表示させた基本画面の一例を示す説明図。
【図４】未入力の帳票の一例を示す説明図。
【図５】図４に示す帳票の一入力欄に設定してある用語を並べて表示させた状態を示す説明図。
【図６】図４に示す帳票の用語登録ボタンを押して表示させた用語登録画面を示す説明図。
【図７】帳票とデータベースの関係を示す概念説明図。
【図８】データベースを構成する各オブジェクトの構造を示す概念説明図。
【図９】異なる規格間において、共通する項目及びそれ以外の項目を説明するための概念説明図。
【図１０】組織体系画面の一例を示す説明図。
【図１１】役職名ごとに作成しなければならない帳票の一覧表示画面の一例を示す説明図。
【図１２】役職名ごとに帳票の進捗状況が把握できる進捗状況一覧画面の一例を示す説明図。
【図１３】支援者が監査を行う際の初期画面の一例を示す説明図。
【図１４】支援者による監査画面の一例を示す説明図。
【図１５】従来のソフトウェアにおける帳票と入力されたデータの関係を示す概念図。
【符号の説明】
【０１０９】
１　サーバコンピュータ
１０　プログラム格納部
１１　データ格納部
１１０　データベース
１１１　オブジェクト
１１２　データベース管理システム
１２　固有情報格納部
２　管理者コンピュータ
３　支援者コンピュータ
３１０　チェックリスト欄
４　ユーザーコンピュータ
５　コンピュータネットワーク
６０　基本画面
６１　領域
６２　領域
６２０　目次
６２１　項目名
６３　領域
６４　領域
６５　領域
７０　帳票
７００　入力欄
７０１　ボタン
７０２　ボタン
７０３　送信ボタン
７０４　クリアボタン
７０５　表示部
７１　用語登録画面
７１０　新規用語入力欄
７１１　登録ボタン
７１２　削除ボタン
７２　組織体系画面
７３　一覧表示画面
７４　進捗状況一覧画面
７４０　ボタン
８０　監査初期画面
８００　被監査部署名入力欄
８０１　監査者入力欄
８０２　ボタン
８１　監査画面
８１０　チェックリスト欄
８１１　報告書欄
８１２　メール送信ボタン
【図１】
2004139590.tif 000003
【図２】
2004139590.tif 000004
【図３】
2004139590.tif 000005
【図４】
2004139590.tif 000006
【図５】
2004139590.tif 000007
【図６】
2004139590.tif 000008
【図７】
2004139590.tif 000009
【図８】
2004139590.tif 000010
【図９】
2004139590.tif 000011
【図１０】
2004139590.tif 000012
【図１１】
2004139590.tif 000013
【図１２】
2004139590.tif 000014
【図１３】
2004139590.tif 000015
【図１４】
2004139590.tif 000016
【図１５】
2004139590.tif 000017